(57)【要約】【課題】硬く締まった表面が滑らかな畦の形成ができる畦形成機を提供するとともに、耐久性のある畦形成部を有した畦形成機を提供する。【解決手段】円錐回転体３１の表面は回転中心軸３１５を中心とした放射状の複数枚の分割片３１０によって構成されていて、分割片３１０は、外周面が回転中心軸３１５からの距離が回転方向前方から回転方向後方に向って円弧状に増大するように形成され、回転方向後端部３１１は、円弧状外周面の各断面部における回転最外周径３１３より内方に折り曲げられた直線状の傾斜面３１２を有し、傾斜角度は、回転径の接線３１４に対し内側に４５度角以内の角度で折り曲げられている畦形成機を提案する。【選択図】      図４
2015065819.tif 000002
【特許請求の範囲】
【請求項１】
畦形成箇所に沿って移動され、畦形成箇所に土を盛り上げ状態に供給する土盛部と土盛部の移動方向の後方に設けた畦形成部とを有し、畦形成部は前記土盛部で土を盛り上げ状態とされた畦形成箇所上を回転しながら通過して畦を形成する畦形成機において、
畦形成部は畦上面を形成する円筒回転体と円筒回転体の一端側に取付けられ畦側面を形成する円錐回転体とを具備し、円錐回転体の表面は回転軸を中心とした放射状の複数枚の分割片によって構成されていて、分割片は、外周面が回転中心軸線からの距離が回転方向前方から回転方向後方に向って円弧状に増大するように形成され、回転方向後端部は、円弧状外周面の各断面部における回転最外周径より内方に折り曲げられた直線状の傾斜面を有し、傾斜角度は、回転径の接線に対し内側に４５度角以内の角度で折り曲げられていることを特徴とした畦形成機。
【請求項２】
互いに隣接する分割片は、一方の分割片の回転方向後端側の前記傾斜面の内側面と他方の分割片の回転方向前端側外側面が重なった状態で連結されていることを特徴とした請求項１記載の畦形成機。
【請求項３】
互いに隣接する分割片は、一方の分割片の回転方向後端側の前記傾斜面の内側面と他方の分割片の回転方向前端側外側面が重なった状態で連結されているとともに、回転方向前端側外側面がさらに延長され分割片の円弧状後方側内面との重なり部が設けられていることを特徴とした請求項１記載の畦形成機。
【発明の詳細な説明】
【技術分野】
【０００１】
本発明は、トラクタに装着されトラクタの側方に作業部をオフセットさせ作業を行い、旧畦を修復して新たな畦を形成する畦形成機に関する。詳細には、畦形成機の畦形成ディスクの構成に関する。
【背景技術】
【０００２】
従来の畦形成機の畦形成ディスクの構成として、同一出願人による特許第３１４８６７８号公報によるものが知られている。この公報による畦形成機は、トラクタに装着され畦形成箇所に沿って移動され、畦形成箇所に土を盛り上げ状態に供給する土盛装置と、土盛装置の移動方向の後方に設置される畦形成装置とを有し、畦形成装置は土を盛り上げ状態とされた畦形成箇所の上を回転しながら通過させる円筒回転体と、円筒回転体の回転駆動力供給側に取り付けられ回転駆動供給側にいく程径大となり、円筒回転体の中央に向けた傾斜面を有するとともに、表面は放射状の分割片に分割され各々の分割片は進行方向に対して前進角を設けてなり、隣接する分割片の相互は逃げ角をもち、側面視にてジグザグ状に連結される円錐回転体とからなるものである。
【先行技術文献】
【特許文献】
【０００３】
【特許文献１】特許第３１４８６７８号公報
【発明の概要】
【発明が解決しようとする課題】
【０００４】
従来の畦形成装置は、畦と直交して回転して畦上面を通過する円筒回転体と、畦側面を通過し畦側面を形成する円錐面を有する円錐回転体とからなり、前記畦形成回転体の周速を走行車の走行速度よりも速く設定し、スリップ作用によって畦を締め固めようとするものである。前記従来技術では、さらに畦側面を堅く締め固めるために円錐回転体を放射状の分割片とし、側面視ジグザグ状として、進行方向に対して前進角を設け隣接する分割片相互は逃げ角をもって連結させ断続圧を加えて練り込んでいた。
【０００５】
しかしながら、分割片の回転方向後端部が回転頂点部となっていて、頂点部から急激な段差が形成されている。このため、頂点部が成形畦面から離れる際に段差部の角により成形される畦面が引っ掻かれる現象が発生しやすく、滑らかな畦表面が形成され難いことがあった。また、押圧して離れるときに、段差部に入り込んだ土壌が後方に押出されて、筋状に盛り上がり成形畦表面が滑らかにならない問題があった。さらに、回転頂点部となっている分割片後端部は、押圧力が最も大きく作用するため、磨耗が他の部分に比較して早いという問題があった。
【０００６】
このことから本発明の目的は、硬く締まった表面が滑らかな畦の形成ができる畦形成機を提供するとともに、耐久性のある畦形成部を有した畦形成機を提供することにある。
【課題を解決するための手段】
【０００７】
上記課題を解決するために、畦形成箇所に沿って移動され、畦形成箇所に土を盛り上げ状態に供給する土盛部と土盛部の移動方向の後方に設けた畦形成部とを有し、畦形成部は前記土盛部で土を盛り上げ状態とされた畦形成箇所上を回転しながら通過して畦を形成する畦形成機において、畦形成部は畦上面を形成する円筒回転体と円筒回転体の一端側に取付けられ畦側面を形成する円錐回転体とを具備し、円錐回転体の表面は回転軸を中心とした放射状の複数枚の分割片によって構成されていて、分割片は、外周面が回転中心軸線からの距離が回転方向前方から回転方向後方に向って円弧状に増大するように形成され、回転方向後端部は、円弧状外周面の各断面部における回転最外周径より内方に折り曲げられた直線状の傾斜面を有し、傾斜角度は、回転径の接線に対し内側に４５度角以内の角度で折り曲げられていることを特徴とした畦形成機を提案する。
【０００８】
また、互いに隣接する分割片は、一方の分割片の回転方向後端側の前記傾斜面の内側面と他方の分割片の回転方向前端側外側面が重なった状態で連結されていることを特徴とした０００７欄記載の畦形成機を提案する。
【０００９】
さらに、互いに隣接する分割片は、一方の分割片の回転方向後端側の前記傾斜面の内側面と他方の分割片の回転方向前端側外側面が重なった状態で連結されているとともに、回転方向前端側外側面がさらに延長され他方の分割片の円弧状後方側内面との重なり部が設けられていることを特徴とした０００７欄記載の畦形成機を提案する。
【発明の効果】
【００１０】
この発明によれば、分割片後端部は、円弧状外周面の各断面部における回転最外周径より内方に折り曲げられた直線状の傾斜面を有し、傾斜角度は、回転径の接線に対し内側に４５度角以内の角度で折り曲げられていることにより、押圧して離れるときの引っ掻き現象や押圧された土壌が後方に押出される現象が改善され、硬く締まった表面が滑らかな畦の形成ができる。
【００１１】
また、互いに隣接する分割片は、一方の分割片の回転方向後端側の傾斜面の内側面と他方の分割片の回転方向前端側外側面が重なった状態で連結されていることで、段差部の強度を向上させることができるとともに、回転方向前端側外側面がさらに延長され分割片の円弧状後方側内面との重なり部が設けられていることにより、隣接する分割片の後端側が磨耗した後も重なり部によりさらに使用することができて、耐久性のある畦形成部を有した畦形成機が提供できる。
【図面の簡単な説明】
【００１２】
【図１】本発明の実施例の畦形成機の右側面図である。
【図２】本発明の実施例の畦形成機の平面図である。
【図３】本発明の実施例の畦形成部である円筒回転体と円錐回転体の斜視図である。
【図４】本発明の円錐回転体の分割片の一部拡大断面図である。
【図５】本発明の円錐回転体が畦面に土壌を塗付けている状態を示した説明図である。
【図６】従来の円錐回転体が畦面に土壌を塗付けている状態の一例を示した説明図である。
【図７】本発明の円錐回転体の分割片の接続部の別実施例を示した断面図である。
【発明を実施するための形態】
【００１３】
実施の一形態を、図１乃至図７に基づいて説明する。図１は本発明の実施例の畦形成機の右側面図、図２は同じく本発明の実施例の畦形成機の平面図、図３は本発明の実施例の畦形成部である円筒回転体と円錐回転体の斜視図、図４は本発明の円錐回転体の分割片が畦面に接触している状態の一部拡大断面図、図５は本発明の円錐回転体が畦面に土壌を塗付けている状態を示した説明図、図６は従来の円錐回転体が畦面に土壌を塗付けている状態の一例を示した説明図、図７は本発明の円錐回転体の隣り合う分割片の接続部の別実施例を示した断面図である。
【００１４】
畦形成機Ａは、図１、図２に示されるように、フレーム１前方側にトラクタ後方の三点リンク機構に連結されるトラクタ装着部１０と、トラクタ装着部１０中心から側方にオフセットして設けられた作業部ａが設けられ、作業部ａ前方側には、田面及び元畦の土壌を掘削して元畦の側面及び上面に盛り上げる土盛部２、作業部ａ後方側に位置して進行方向と直行する水平な回転軸により回転しながら土盛部２により盛り上げられた盛土を締め固めて元畦上に新たな畦を形成する畦形成部３が備えられている。
【００１５】
畦形成機Ａを構成するフレーム１前方部は、畦形成機Ａに備わるトラクタ装着部１０である。畦形成機Ａは、トラクタ（図示せず）の後方にトラクタ装着部１０を介して取り付けられて用いられる。トラクタ装着部１０は、畦形成機Ａにおいて、トラクタが取り付けられる側（図１における右側）の端部である進行方向前方側に設けられる。トラクタ装着部１０には、フレーム１に固着している１個のトップブラケット上方部の前端部に設けたトップリンクピン１０１が上部の中央に、同じくフレーム１に固着されたロアリンクピン１００、１００が下部の両端に、それぞれ取り付けられていて、これらによりトラクタの三点リンク機構に連結され装着される。
【００１６】
１２は、入力軸である。入力軸１２は、トラクタ装着部１０の下方中央部に位置して前方に向け突設して設けられ、トラクタ側の駆動力の出力軸であるＰＴＯ軸（図示せず）にユニバーサルジョイント等で連結され、入力軸１２後方に連結された伝動シャフト１３を介してトラクタの動力を畦形成機Ａの作業部ａに伝動する。伝動された動力により土盛部２や畦形成部３が駆動される。
【００１７】
作業部ａの土盛部２と畦形成部３は、フレーム１に対し左右に回動する回動フレーム１１の回動端側に回動可能に設けられていて、装着されるトラクタに対しオフセット量を調整可能である。
【００１８】
土盛部２は、水平回転軸に複数の掘削爪２０を放射状に設け元畦側に突設したローター軸２２と、掘削爪２０によって跳ね上げた土壌を元畦側に誘導するカバー体２１を備える。掘削爪２０を有するローター軸２２は、トラクタからの動力により回転して田面及び元畦の一部土壌を掘削して元畦側に跳ね上げて盛土する。
【００１９】
土盛部２の後方に位置する畦形成部３は、図３に示すように畦上面を成形する円筒回転体３０と畦側面を形成する円錐回転体３１により構成されていて、進行方向と直行する回転中心軸３１５を中心に進行速度より速く回転して、土盛部２により盛土された盛土をスリップ回転しながら進行し締固める。円錐回転体３１は、田面側に向かって徐々に拡径する円錐台状となっていて、円錐回転体３１頂部側に水平円筒状の円筒回転体３０が外方向に向かって突設され固着されている。畦形成部３は、前記入力軸１２を介して入力されたトラクタの動力により前記土盛部２のローター軸２２とともに駆動される。
【００２０】
前記円錐回転体３１は、表面が回転中心軸３１５を中心とした放射状の複数枚の分割片３１０によって構成されていて、分割片３１０は、それぞれ外周面が回転中心軸３１５からの距離が回転方向前方から回転方向後方に向って円弧状に増大するように形成され、回転方向後端部３１１は、円弧状外周面の各断面部における回転最外周径３１３より内方に折り曲げられた直線状の傾斜面３１２を有し、折り曲げ角度は、回転径の接線３１４に対し内側に４５度角以内の角度（α）で折り曲げられている。
【００２１】
また、互いに隣接する分割片３１０は、一方の分割片３１０の回転方向後端側の前記傾斜面３１２の内側面と他方の分割片３１０の回転方向前端側外側面が重なった状態で連結されて円錐回転体３１が構成されている。畦形成時は、回転最外周径３１３部となる分割片３１０の回転方向後端部３１１に最も押圧による反力が作用するため、この部分に互いに隣接する分割片３１０の重なり部を設けることで強度が向上して耐久性のある円錐回転体３１を提供できる。
【００２２】
図５において本発明の円錐回転体３１が畦面に土壌を塗付けていく状態を説明すると、円錐回転体３１は、装着したトラクタの走行によりＸ方向に走行するとともに、走行速度よりも速くＹ方向に回転して土を塗付けていく。円錐回転体３１は、複数の分割片３１０により構成されていて、図５の（Ａ）は分割片３１０の回転方向後端部３１１が最も畦側に近づく少し手前の状態であり、回転中心軸３１５に対し分割片３１０の回転方向前方側が低く、後方側が円弧状に高くなった形状により、前方の土が回転抵抗により畦側に引きずり込まれるとともに、トラクタの走行により前方の土は順次押圧される。
【００２３】
図５の（Ｂ）は、円錐回転体３１がさらに回転して、分割片３１０の回転最外周径３１３となる回転方向後端部３１１が最も畦側に接近した状態であり、最も成形畦への押圧力が大きくなる状態である。このとき前方の土は、分割片３１０の回転方向の前方側が低く、後方側が円弧状に高くなった面により効率よく抱き込まれ、徐々に押圧されていく。
【００２４】
図５の（Ｃ）は、さらに回転して分割片３１０の回転方向後端部３１１が畦側に最も接近した状態を通過した直後の状態である。このとき、分割片３１０の回転方向後端部３１１から内側に直線状に折り曲げられた傾斜面３１２は、略進行方向と平行な状態となり、分割片３１０相互の連結部の段差部である回転方向後端部３１１で従来発生していた引っ掻き現象が起こらないとともに、段差部に土を巻き込まないため、押圧して離れるときに、段差部に入り込んだ土が後方に押出されて、筋状に盛り上がり成形畦表面が滑らかにならない現象も起こらない。前記傾斜面３１２の曲げ角度は、回転径の接線３１４に対し内側に４５度角以内の角度（α）となるように直線状に折り曲げられているとよい。
【００２５】
図６は、従来の円錐回転体３１ｘが畦面に土を塗付けている状態の一例を示したもので、図５の各(Ａ)（Ｂ）（Ｃ）の状態と同じ状態で示している。図６の（Ｂ）（Ｃ）において、分割片３１０ｘの回転方向後端部３１１ｘが回転頂点部となっていて、頂点部から急激な段差が形成されているため、頂点部が成形畦面から離れる際に段差部３１６の角により成形される畦面が引っ掻かれる現象が発生しやすい。また、押圧して離れるときに、段差部３１６に入り込んだ土壌が後方に押出されて筋状に盛り上がり、成形畦表面が滑らかにならない現象が発生しやすい。
【００２６】
図７は、円錐回転体３１ａの分割片３１０ａ相互の接続部の別実施例を示した断面図である。互いに隣接する分割片３１０ａは、一方の分割片３１０ａの回転方向後端側の傾斜面３１２ａの内側面と他方の分割片３１０ａの回転方向前端側外側面が重なった状態で連結されているとともに、回転方向前端側がさらに延長され分割片３１０ａの円弧状後方側内面との重なり部３１７が設けられている。これにより、段差部３１６の強度を向上させることができるとともに、重なり部３１７が設けられていることにより、隣接する分割片３１０ａの後端側が磨耗した後も重なり部３１７によりさらに使用することができて、耐久性のある円錐回転体３１ａを提供することができる。円錐回転体３１ａの摩耗は、周速が速い外周部が比較的早く摩耗するため、重なり部３１７を外周部のみに設けてもよい。
【００２７】
図１、図２は作業部ａがトラクタ右側にオフセットした状態で、トラクタを前進させて作業する前進作業状態を示したものである。本例の畦形成機は回動フレーム１１を左側に回動させて、作業部ａをトラクタ左側にオフセットさせ、さらに作業部ａを反転した状態で、圃場隅部の残部を処理するためにトラクタを後進させて作業を行う後進作業状態とすることも可能である。畦成形作業は、作業部ａをトラクタ側にオフセットさせ、トラクタを元畦に平行に走行させて行う。
【００２８】
畦形成部３の円錐回転体３１は、円錐台状をなし、円錐回転体３１の表面には、複数の金属板が貼り付けられる。畦形成作業時には、円錐回転体３１の表面は傾斜している元畦側面の土盛部２で盛り上げた盛土に当接させ、この円錐回転体３１を回転させるとともに進行させることで盛土を締め固めて、元畦側面上に新畦側面の傾斜面を成形する。円錐回転体３１は、畦に押しつけられて畦側面を成形するための必要な強度と重量を有する。
【００２９】
円筒回転体３０は、水平方向の円筒状をなし、円錐回転体３１の円錐台先端側に取り付けられる。円筒回転体３０は、畦形成作業時には、外周を元畦上面の盛土に接しさせて回転され、新畦の上面を成形する。
【００３０】
土盛部２は、畦形成部３よりもトラクタ側即ち進行方向前方側の畦形成部３直前に設置される。土盛部２は、回転軸に放射状に取り付けられた複数の掘削爪２０を有するローター軸２２と、カバー体２１とを備える。掘削爪２０は、それぞれ先端を畦傾斜面側に屈曲させて、ローター軸２２に備えられる。掘削爪２０は、元畦の斜面と田面の斜面裾部を掘削するとともに、掘削した土を畦側面及び上面に飛散して盛土を形成する。
【００３１】
カバー体２１はローター軸２２の上面とローター軸２２基部側と進行方向後面側を覆って設けてあり、掘削爪２０が掘削する土の飛散を防止するとともに畦側に土を誘導する。このために、ローター軸２２の畦側は開放されている。
【００３２】
掘削刃４３は、掘削する畦の斜面及び斜面下部の田面を掘削し、土を飛散させて元畦上に土を盛り上げる。これに対して、畦形成部３の円錐回転体３１は、畦の側面傾斜面全面に当接されて回転され、畦の側面傾斜面を成形する。
【産業上の利用可能性】
【００３３】
この発明は、トラクタ等の走行機後方に装着されて側方にオフセットして畦形成作業を行う畦形成機に利用される。
【符号の説明】
【００３４】
１    フレーム
１０  トラクタ装着部
１００  ロアリンクピン
１０１  トップリンクピン
１１  回動フレーム
１２  入力軸
１３  伝動シャフト
２    土盛部
２０  掘削爪
２１  カバー体
２２  ローター軸
３    畦形成部
３０  円筒回転体
３１  円錐回転体
３１０  分割片
３１１  回転方向後端部
３１２  傾斜面
３１３  回転最外周径
３１４  回転径の接線
３１５  回転中心軸
３１６  段差部
３１７  重なり部
【図１】
2015065819.tif 000003
【図２】
2015065819.tif 000004
【図３】
2015065819.tif 000005
【図４】
2015065819.tif 000006
【図５】
2015065819.tif 000007
【図６】
2015065819.tif 000008
【図７】
2015065819.tif 000009